(57)【要約】【課題】ＰＣ矢板の高圧ホースを簡便な構造で接続しておき、矢板を地中に打ち込んだ後、接続金具を回収する。【解決手段】配管の上下接続部の端部外周に円周リング１０１、１１１を設け、この円周リング１０１、１１１を互いに圧着させる２つ割りの密閉ケーシング１０ａ、１０ｂを外嵌し、ケーシング１０ａ、１０ｂを一体に組み合わせる連結孔１４ａ、１２ｂ；１２ａ１４ｂに挿脱可能なピン２１ａ、２１ｂを備え、ケーシング１０ａ、１０ｂと円周リング１０１、１１１との隙間に高圧水を供給する連通孔１０２を設け、ケーシング１０ａ、１０ｂに地上への引上ボルト３１ａ、３１ｂを装着した。【選択図】　　　　図１
2004138151.tif 000002
【特許請求の範囲】
【請求項１】
配管の上下接続部の端部外周にそれぞれ円周リングを設け、該２個の円周リングングを互いに圧着させる２つ割りの密閉ケーシングを該リングに外嵌し、該２つ割りのケーシングを一体に組み合わせる連結孔を備え、該連結孔に挿脱可能なピンを備え、該ケーシングと前記円周リングとの隙間に配管内から高圧水を供給する連通孔を設け、該隙間をシールするシール材を前記円周リングとケーシング間に備え、前記ケーシングには地上への引上具を装着したことを特徴とする矢板ジェット配管の接続構造。
【請求項２】
配管の上下接続部にそれぞれフランジを設け、高圧水に抵抗する耐力を有する接続ボルトで該フランジ同士を結合すると共に、前記接続ボルトを切断させて上フランジを引き上げる引上具を上フランジに取付けたことを特徴とする矢板ジェット配管の接続構造。
【発明の詳細な説明】
【０００１】
【発明の属する技術分野】
本発明は、矢板ジェット配管の接続構造に関する。さらに詳しくは、コンクリート矢板を地中に沈設するときに、矢板の下端に高圧ジェットを噴出するノズルを設け、高圧水を供給する高圧ホースを矢板に添設し、高圧水を噴射しつつ矢板を地中に進入させる技術において、矢板の下端近傍に矢板ジェット配管の接続構造を設け、矢板の沈設完了後に、前記接続構造の部分を切離してそれから上方の高圧ホースを回収する技術に関する。
【０００２】
【従来の技術】
コンクリート矢板は、耐腐食性、耐久性がすぐれているので、強固な地中隔壁、港湾構造物、護岸等を設ける場合に、地中や水底等に沈下させて用いられる。このようなコンクリート矢板としてはプレストレストコンクリート矢板、鉄筋コンクリート矢板が好適に使用されている。このようなコンクリート矢板は上端にバイブロ振動機を装着して振動を与えながら地中に沈設するのが一般的である。地質条件によっては、コンクリート矢板を地中に沈設するときに、矢板の下端に高圧ジェットを噴出するノズルを設け、高圧水を噴射しつつ地盤を緩め矢板の進入を容易にする技術がある（例えば、特許文献１参照。）。
【０００３】
この技術では、図５に示すように、高圧水を供給する高圧水供給管又は高圧ホース２０１をコンクリート矢板２００の側面に添わせて配設し、矢板２００の下端に取付けた先端金具２０２に高圧水を供給し、先端金具２０２のノズルからジェット２０３を噴射し、矢板２００を地中に沈下させる。先端金具２０２は、礫岩や玉石をかき分け又は粉砕するので、塊状物を含む地層でも矢板２００を容易に沈下させることができる。
【０００４】
また、高圧ジェットノズル及び配管を杭の側面に添わせて高圧ジェット配管を配置し、杭の下端近傍にノズルの保持部を設けてノズルを保持させておき、杭の沈設後、高圧ジェット配管を引き抜いて回収するようにした技術がある。この技術はジェットノズルとその保持部に係合溝を設け、この係合溝にシャーピンを挿入しておき、ジェットノズルに引上力を加えてシャーピンを切断し、ノズル及び高圧ホースを回収する技術である（例えば、特許文献２参照。）。
【０００５】
この技術は、杭に関するもので、１本のノズルを用い、杭に取付けたノズル保持部からノズルを引き離すものである。多数のノズルを備えた矢板の先端金具に１本の配管で高圧水を供給する場合に、高圧配管の途中にこの技術を適用すると、配管途中に厚肉の接続部を形成する必要があり、実現が容易でない。
【０００６】
【特許文献１】
特願２００２−５７４５８号出願（第３〜４頁）
【特許文献２】
特開平８−９２９５５号公報（第２頁）
【０００７】
【発明が解決しようとする課題】
本発明は、ＰＣ矢板の高圧ホースを簡便な構造で接続しておき、矢板を地中に打ち込んだ後、接続金具を回収することを課題とする。接続金具を切離すのは地中であり、人的作業を行うことができない。
【０００８】
【課題を解決するための手段】
本発明はコンクリート矢板を地中に沈設するときに、矢板の下端に高圧ジェットを噴出する多数のノズルを備えた金物を設け、高圧水を供給する１本の高圧配管又は高圧ホースを矢板に添設し、ノズルから高圧水を噴射しつつ矢板の進入を容易にする技術において、矢板の下端近傍に配管の接続構造を設け、矢板の沈設完了後に、前記接続構造の部分から上方の高圧配管又はホースを回収する技術に関するもので、上記課題を解決するためになされたものである。
【０００９】
本発明の第１の発明は、配管の上下接続部の端部外周にそれぞれ円周リングを設け、該２個の円周リングングを互いに圧着させる２つ割りの密閉ケーシングを該リングに外嵌し、該２つ割りのケーシングを一体に組み合わせる連結孔を備え、該連結孔に挿脱可能なピンを備え、該ケーシングと前記円周リングとの隙間に配管内から高圧水を供給する連通孔を設け、該隙間をシールするシール材を前記円周リングとケーシング間に備え、前記ケーシングには地上への引上具を装着したことを特徴とする矢板ジェット配管の接続構造である。
【００１０】
また、上記第１の発明と同一課題を解決する本発明の第２の発明は、配管の上下接続部にそれぞれフランジを設け、高圧水に抵抗する耐力を有する接続ボルトで該フランジ同士を結合すると共に、前記接続ボルトを切断させて上フランジを引き上げる引上具を上フランジに取付けたことを特徴とする矢板ジェット配管の接続構造である。
【００１１】
【発明の実施の形態】
以下図面を参照して本発明の実施の形態を説明する。
【００１２】
本発明は、図５に示すコンクリート矢板２００に添設した高圧ジェット配管２０１の矢板２００の先端近傍に設けた接続部２０４の構造に係る技術である。
【００１３】
図１は本発明の第１の実施例を示す分解斜視図である。上下配管１００、１１０の接続端部に円周リング１０１、１１１を取付ける。この円周リングは互いに圧着するもので、圧着面にシール１１２を備えている。円周リング１０１、１１１を圧着するように締めつける２つ割りの密閉ケーシング１０ａ、１０ｂをこの円周リング１０１、１１１に外嵌させる。２つ割りの密閉リング１０ａ、１０ｂは互いに嵌入接続する凸部１１ａ、１１ｂと凹部１３ａ、１３ｂを半割部円周部に設け、結合ピン２１ａ、２１ｂを挿入するピン孔（１４ａ、１２ｂ）、（１４ｂ、１２ａ）を備えている。これらのピン２１ａ、２１ｂを挿入した時、２つ割りの密閉ケーシング１０ａ、１０ｂは一体となって強固に結合し、つば１５ａ、１６ａ、１５ｂ、１６ｂが円周リング１０１、１１１の上下面に圧着され、円周リング１０１、１１１の外周部と密閉ケーシング１０ａ、１０ｂとの間に密閉隙間を形成する。
【００１４】
図２は密閉ケーシング１０ａ、１０ｂを円周リング１０１、１１１に外嵌し組立ピン２１を差込む直前の組立体を示す正面図である。組立ピン２１は先端側が細い僅かなテーパを有すると好ましく、密閉ケーシング１０ａ、１０ｂの孔１２、１４に打ち込むと、密閉ケーシング１０ａ、１０ｂの合わせ面を引き寄せて密閉ケーシング１０ａ、１０ｂを互いに強固に結合させる。
【００１５】
図３は図２の縦断面図であって、密閉ケーシング１０ａ、１０ｂは円周リング１０１、１１１を圧着させ、円周リング１０１、１１１の上下面に密着し、シールリング１０３、１０４により密閉隙間１２１を形成する。この密閉隙間１２１と管内を連通する連通孔１０２が円周リング１０１に設けられている。２つ割りの密閉ケーシング１０ａ、１０ｂにはそれぞれ引上ボルト３１ａ、３１ｂが装着され、図１に示すように、シャックル３２ａ、３２ｂがピン３３ａ、３３ｂによって結合される。このシャックル３２ａ、３２ｂに図示省略した引上部材が結合される。
【００１６】
密閉ケーシング１０ａ、１０ｂは、高圧配管内の高圧水の圧力が貫通孔１０２を通って密閉ケーシングの内側の隙間１２１に作用しているので、組立ピン２１ａ、２１ｂを抜き取ると、貫通孔１０２より噴射される水流により２つ割りの密閉ケーシング１０ａ、１０ｂは図１に示す状態に分離され開放される。分離された密閉ケーシング１０ａ、１０ｂ及び配管１００を引き上げてこれを地上に回収することができ、繰返し使用することができる。
【００１７】
図４は本発明の第２の実施例を示す側面図である。上側配管１００にはボルト孔４２を設けたフランジ４１が取付けられ、下側配管１１０にはねじ孔５２を備えたフランジ５１が装着されている。ボルト孔４２とねじ孔５２を合わせて、結合ボルト５３をねじ込み、フランジ４１と５１とを接続する。なお、上フランジ４１と下フランジ５１間にはパッキング４３及び位置合わせのための嵌り込み４４を設けてある。ボルト５３は例えば３本とする。このボルト５３は高圧管内の内圧による引張荷重に対しては破断しない強度を有するように設計された細いボルトとする。上フランジ４１には引上ボルト６１が取付けられている。矢板沈設後、引上ボルト６１を引上げると連結ボルト５３はこの引き上げ力によって切断され、上フランジ４１より上方の配管を地上に回収することができる。連結ボルト５３には引き上げによる切断を容易にするための弱め部を設けておいてもよい。
【００１８】
図４に示す第２の実施例の設計例をあげると、配管径が３０ｍｍ、高圧水の圧力が１５０ｋｇ／ｃｍ２（１４．７ＭＰ）の条件下で、６ｍｍφの結合ボルト３本でフランジ４１、５１を結合すると、ボルト１本の有効断面積は２０．１ｍｍ２であり、３本のボルトの耐力は
４０ｋｇ／ｍｍ２×３×２０＝２．４トン
である。内圧により生ずる引張力は１．０６トンであるから、ボルトの初期締付力を考慮しても安全率２程度となる。
【００１９】
【発明の効果】
本発明によれば、ＰＣ矢板の高圧ホースを簡便な構造で接続しておき、矢板を地中に打ち込んだ後、接続金具を回収することが可能となった。従って、コンクリート矢板のコスト低下に寄与することとなった。
【図面の簡単な説明】
【図１】第１の実施例の分解斜視図である。
【図２】第１の実施例の組立側面図である。
【図３】第１の実施例の組立断面図である。
【図４】第２の実施例の組立側面図である。
【図５】矢板の打込工程の説明図である。
【符号の説明】
１０ａ、１０ｂ　　２つ割りの密閉ケーシング
１１ａ、１１ｂ　　凸部
１２ａ、１２ｂ、１４ａ、１４ｂ　　ピン孔
１３ａ、１３ｂ　　凹部
１５ａ、１５ｂ、１６ａ、１６ｂ　　つば
１７ａ、１７ｂ　　ねじ孔
２１、２１ａ、２１ｂ　　組立ピン
３１ａ、３１ｂ　　引上ボルト
３２ａ、３２ｂ　　シャックル
３３ａ、３３ｂ　　ピン
４１、５１　　フランジ
４２　　ボルト孔
５３　　結合ボルト
４３　　パッキング
４４　　嵌り込み
５２　　ねじ孔
６１　　引上ボルト
１００　　上側配管
１０１　　円周リング
１０２　　連通孔
１０３、１０４　　シールリング
１１０　　下側配管
１１１　　円周リング
１１２　　シール
１２１　　密閉隙間
２００　　コンクリート矢板
２０１　　高圧管又は高圧ホース
２０２　　先端金具
２０３　　ジェット
２０４　　接続部
【図１】
2004138151.tif 000003
【図２】
2004138151.tif 000004
【図３】
2004138151.tif 000005
【図４】
2004138151.tif 000006
【図５】
2004138151.tif 000007